(57)【要約】【課題】吸水性に優れ、肌触りの良好な、シャワートイレ用トイレットペーパーを提供する。【解決手段】シートが２プライに積層され、エンボスパターンが付与された、トイレットペーパーであって、エンボスパターンは、２プライのシートの各々に設けられた、ダブルエンボスパターンであり、坪量及び紙厚が所定の範囲に調整されており、トイレットペーパーの同一部位の表面及び裏面のエンボスパターンの深さを測定し、測定値が大きい面のエンボスパターンの深さを深さＡ、測定値が小さい面のエンボスパターンの深さを深さＢとした場合において、深さＡ＞深さＢを満たすことを条件に、深さＡが１３０μｍ以上４００μｍ以下、深さＢが６０μｍ以上２４０μｍ以下であり、２プライのシート間の空気層の厚さが４０μｍ以上１９０μｍ以下である、シャワートイレ用トイレットペーパー１を提供する。【選択図】図１
2019024734.tif 000002
【特許請求の範囲】
【請求項１】
シートが２プライに積層され、エンボスパターンが付与された、トイレットペーパーであって、
前記エンボスパターンは、２プライのシートの各々に設けられた、ダブルエンボスパターンであり、
トイレットペーパーのシート１枚あたりの坪量が１３ｇ／ｍ２以上１９ｇ／ｍ２以下、紙厚が１．２ｍｍ／１０枚以上１．９ｍｍ／１０枚以下であり、
トイレットペーパーの同一部位の表面及び裏面のエンボスパターンの深さを測定し、測定値が大きい面のエンボスパターンの深さを深さＡ、測定値が小さい面のエンボスパターンの深さを深さＢとした場合において、深さＡ＞深さＢを満たすことを条件に、深さＡが１３０μｍ以上４００μｍ以下、深さＢが６０μｍ以上２４０μｍ以下であり、
２プライのシート間の空気層の厚さが４０μｍ以上１９０μｍ以下である、シャワートイレ用トイレットペーパー。
【請求項２】
前記エンボスパターンが、面積の異なるデコレーションエンボスとマイクロエンボスの二種類のエンボスから構成され、デコレーションエンボスの面積がマイクロエンボスの面積より大きく、
トイレットペーパーの単位面積における、マイクロエンボスの総面積に対するデコレーションエンボスの総面積比が、０．５以上１．９以下である、請求項１に記載のシャワートイレ用トイレットペーパー。
【請求項３】
デコレーションエンボスの１個当たりの面積は０．７ｍｍ２以上２．３ｍｍ２以下であり、トイレットペーパーの単位面積当たりのデコレーションエンボスの総面積率が４％以上１５％以下である、請求項１又は２に記載のシャワートイレ用トイレットペーパー。
【請求項４】
マイクロエンボスの１個当たりの面積は０．１０ｍｍ２以上０．５０ｍｍ２以下であり、トイレットペーパーの単位面積当たりのマイクロエンボスの総面積率が３％以上１２％以下である、請求項１から３のいずれかに記載のシャワートイレ用トイレットペーパー。
【請求項５】
トイレットペーパー１ｇ当たりの吸水量が８ｍｌ以上１６ｍｌ以下である、請求項１から４のいずれかに記載のシャワートイレ用トイレットペーパー。
【請求項６】
針葉樹晒クラフトパルプを２０質量％以上６０質量％以下含有し、広葉樹晒クラフトパルプを４０質量％以上８０質量％以下含有する、請求項１から５のいずれかに記載のシャワートイレ用トイレットペーパー。
【請求項７】
ＪＩＳ  Ｐ  ８１１３に基づく、乾燥時の縦方向の引張強さＤＭＤＴが４００ｇｆ／２５ｍｍ以上１０００ｇｆ／２５ｍｍ以下、乾燥時の横方向の引張強さＤＣＤＴが９０ｇｆ／２５ｍｍ以上２３０ｇｆ／２５ｍｍ以下、である請求項１から６のいずれかに記載のシャワートイレ用トイレットペーパー。
【請求項８】
ティッシュソフトネス測定装置ＴＳＡによる、柔らかさＴＳ７が１１ｄＢＶ２ｒｍｓ以上２５ｄＢＶ２ｒｍｓ以下である請求項１から７のいずれかに記載のシャワートイレ用トイレットペーパー。
【請求項９】
ティッシュソフトネス測定装置ＴＳＡによる、滑らかさＴＳ７５０が１６ｄＢＶ２ｒｍｓ以上４０ｄＢＶ２ｒｍｓ以下である請求項１から８のいずれかに記載のシャワートイレ用トイレットペーパー。
【請求項１０】
ティッシュソフトネス測定装置ＴＳＡによる、剛性Ｄが２．２ｍｍ／Ｎ以上３．４ｍｍ／Ｎ以下である請求項１から９のいずれかに記載のシャワートイレ用トイレットペーパー。
【発明の詳細な説明】
【技術分野】
【０００１】
本発明は、２プライに積層されたトイレットペーパーに関する。
【背景技術】
【０００２】
近年、日本では、シャワートイレが普及しており、２プライに積層されたトイレットペーパーをロール状に巻き取った、シャワートイレ用のトイレットロールも上市されている。通常、シャワートイレ用のトイレットロールを構成するトイレットペーパーには、吸水量が多く、かつ、破れにくい、という性質が求められる。そこで、シャワートイレ用トイレットペーパーにおいては、２プライの各々の原紙に別々にエンボス加工を施す、いわゆるダブルエンボス加工により、シート間に空気層を作り、トイレットペーパーの吸水量を上げる方法が一般的に用いられている。
【０００３】
シャワートイレ用であるかにかかわらず、風合い、拭き取りやすさ、吸収性等を確保するために、ダブルエンボス加工が施されたトイレットペーパーについての検討がなされている。例えば、特許文献１には、同一のエンボスパターンを有する対のシートを、各シートのエンボス凸面同士が近接して向き合うように接合して一体化した構成を有することを特徴とする２プライ以上のトイレットペーパーが開示されている。また、特許文献２には、２枚以上の薄葉紙を重ねてなるトイレットペーパーにおいて、少なくとも一枚の薄葉紙がエンボスを有し、そのエンボスの凸部の頂部に塗布された接着剤によって隣接する薄葉紙に接着されており、その薄葉紙同士の接着に用いられる接着剤は、水性接着基剤を水性の着色剤によって着色したものであることを特徴とするトイレットペーパーが開示されている。
【先行技術文献】
【特許文献】
【０００４】
【特許文献１】特開２００３−１１６７４１号公報
【特許文献２】特開２００９−１７８４５４号公報
【発明の概要】
【発明が解決しようとする課題】
【０００５】
しかしながら、ダブルエンボス加工が施されたトイレットペーパーでは、トイレットロールの製造工程において、トイレットペーパーを巻き取る際にテンションがかかり、エンボスが潰れ、シート間の空気層が縮小しやすく、その結果、トイレットペーパーの吸水量が低下し、ダンブルエンボス加工が施されたトイレットペーパー特有のふっくらとした肌触りも損なうという問題があった。したがって、本発明は、以上の課題に鑑みてなされたものであり、吸水性に優れ、肌触りの良好なシャワートイレ用トイレットペーパーを提供することを目的とする。
【課題を解決するための手段】
【０００６】
本発明の発明者らは、上記課題を解決するため、鋭意研究を行った。その結果、シートが２プライに積層され、ダブルエンボスパターンが付与された、トイレットペーパーにおいて、坪量、紙厚、エンボスパターンの深さ及び２プライのシート間の空気層の厚さを調整することにより、上記の課題を解決できることを見出し、本発明を完成するに至った。具体的には、本発明は以下のものを提供する。
【０００７】
（１）本発明の第１の態様は、シートが２プライに積層され、エンボスパターンが付与された、トイレットペーパーであって、前記エンボスパターンは、２プライのシートの各々に設けられた、ダブルエンボスパターンであり、トイレットペーパーのシート１枚あたりの坪量が１３ｇ／ｍ２以上１９ｇ／ｍ２以下、紙厚が１．２ｍｍ／１０枚以上１．９ｍｍ／１０枚以下であり、トイレットペーパーの同一部位の表面及び裏面のエンボスパターンの深さを測定し、測定値が大きい面のエンボスパターンの深さを深さＡ、測定値が小さい面のエンボスパターンの深さを深さＢとした場合において、深さＡ＞深さＢを満たすことを条件に、深さＡが１３０μｍ以上４００μｍ以下、深さＢが６０μｍ以上２４０μｍ以下であり、２プライのシート間の空気層の厚さが４０μｍ以上１９０μｍ以下である、シャワートイレ用トイレットペーパーである。
【０００８】
（２）本発明の第２の態様は、（１）に記載のシャワートイレ用トイレットペーパーであって、前記エンボスパターンが、面積の異なるデコレーションエンボスとマイクロエンボスの二種類のエンボスから構成され、デコレーションエンボスの面積がマイクロエンボスの面積より大きく、トイレットペーパーの単位面積における、マイクロエンボスの総面積に対するデコレーションエンボスの総面積比が、０．５以上１．９以下であることを特徴とするものである。
【０００９】
（３）本発明の第３の態様は、（１）又は（２）に記載のシャワートイレ用トイレットペーパーであって、デコレーションエンボスの１個当たりの面積は０．７ｍｍ２以上２．３ｍｍ２以下であり、トイレットペーパーの単位面積当たりのデコレーションエンボスの総面積率が４％以上１５％以下であることを特徴とするものである。
【００１０】
（４）本発明の第４の態様は、（１）から（３）のいずれかに記載のシャワートイレ用トイレットペーパーであって、マイクロエンボスの１個当たりの面積は０．１０ｍｍ２以上０．５０ｍｍ２以下であり、トイレットペーパーの単位面積当たりのマイクロエンボスの総面積率が３％以上１２％以下であることを特徴とするものである。
【００１１】
（５）本発明の第５の態様は、（１）から（４）のいずれかに記載のシャワートイレ用トイレットペーパーであって、トイレットペーパー１ｇ当たりの吸水量が８ｍｌ以上１６ｍｌ以下であることを特徴とするものである。
【００１２】
（６）本発明の第６の態様は、（１）から（５）のいずれかに記載のシャワートイレ用トイレットペーパーであって、針葉樹晒クラフトパルプを２０質量％以上６０質量％以下含有し、広葉樹晒クラフトパルプを４０質量％以上８０質量％以下含有することを特徴とするものである。
【００１３】
（７）本発明の第７の態様は、（１）から（６）のいずれかに記載のシャワートイレ用トイレットペーパーであって、ＪＩＳ  Ｐ  ８１１３に基づく、乾燥時の縦方向の引張強さＤＭＤＴが４００ｇｆ／２５ｍｍ以上１０００ｇｆ／２５ｍｍ以下、乾燥時の横方向の引張強さＤＣＤＴが９０ｇｆ／２５ｍｍ以上２３０ｇｆ／２５ｍｍ以下、であることを特徴とするものである。
【００１４】
（８）本発明の第８の態様は、（１）から（７）のいずれかに記載のシャワートイレ用トイレットペーパーであって、ティッシュソフトネス測定装置ＴＳＡによる、柔らかさＴＳ７が１１ｄＢＶ２ｒｍｓ以上２５ｄＢＶ２ｒｍｓ以下であることを特徴とするものである。
【００１５】
（９）本発明の第９の態様は、（１）から（８）のいずれかに記載のシャワートイレ用トイレットペーパーであって、ティッシュソフトネス測定装置ＴＳＡによる、滑らかさＴＳ７５０が１６ｄＢＶ２ｒｍｓ以上４０ｄＢＶ２ｒｍｓ以下であることを特徴とするものである。
【００１６】
（１０）本発明の第１０の態様は、（１）から（９）のいずれかに記載のシャワートイレ用トイレットペーパーであって、ティッシュソフトネス測定装置ＴＳＡによる、剛性Ｄが２．２ｍｍ／Ｎ以上３．４ｍｍ／Ｎ以下であることを特徴とするものである。
【発明の効果】
【００１７】
本発明によれば、吸水性に優れ、肌触りの良好な、シャワートイレ用トイレットペーパーを提供することができる。
【図面の簡単な説明】
【００１８】
【図１】各々にエンボスパターンが設けられたシートが２プライに積層された状態を示す図である。
【図２】エンボスパターンの態様を示す模式図である。
【図３】エンボスパターンの深さの測定方法を示す図である。
【図４】エンボスパターンの深さの測定方法を示す図である。
【図５】エンボスパターンの深さの測定方法を示す図である。
【図６】トイレットペーパーの表面をイメージスキャナで取り込んだ画像を示す図である。
【図７】エンボス処理の工程を示す図である。
【発明を実施するための形態】
【００１９】
以下、本発明の実施形態について詳細に説明するが、以下の実施形態は例示の目的で提示するものであり、本発明は、以下に示す実施形態に、何ら限定されるものではない。
【００２０】
＜シャワートイレ用トイレットペーパー＞
本発明のシャワートイレ用トイレットペーパー１は、シートが２プライに積層され、エンボスパターンが付与された、トイレットペーパーであって、エンボスパターンは、２プライのシートの各々に設けられた、ダブルエンボスパターンであり、トイレットペーパーのシート１枚あたりの坪量が１３ｇ／ｍ２以上１９ｇ／ｍ２以下、紙厚が１．２ｍｍ／１０枚以上１．９ｍｍ／１０枚以下であり、トイレットペーパーの同一部位の表面及び裏面のエンボスパターンの深さを測定し、測定値が大きい面のエンボスパターンの深さを深さＡ、測定値が小さい面のエンボスパターンの深さを深さＢとした場合において、深さＡ＞深さＢを満たすことを条件に、深さＡが１３０μｍ以上４００μｍ以下、深さＢが６０μｍ以上２４０μｍ以下であり、２プライのシート間の空気層の厚さが４０μｍ以上１９０μｍ以下である。
【００２１】
また、本発明のシャワートイレ用トイレットペーパー１は、該トイレットペーパーをロール状に巻き取ったトイレットロールに使用されるものであり、シャワートイレ用トイレットペーパー１の面のうち、巻き取られる際に、トイレットロール外側に指向する面をシャワートイレ用トイレットペーパー１の表面１ａと称し、トイレットロール中心部に指向する面をシャワートイレ用トイレットペーパー１の裏面１ｂと称する。
【００２２】
シャワートイレ用トイレットペーパー１は木材パルプ１００質量％からなるものであってもよく、古紙パルプ、非木材パルプ、脱墨パルプ、液体飲料用紙パック古紙等を含んでよいが、品質の観点から５０％以下とすることが好ましい。目標とする品質を得るためには、ＮＢＫＰ（針葉樹晒クラフトパルプ）を２０質量％以上６０質量％以下、ＬＢＫＰ（広葉樹晒クラフトパルプ）を４０質量％以上８０質量％以下含有することが好ましい。また、ＮＢＫＰを３０質量％以上５０質量％以下、ＬＢＫＰを５０質量％以上７０質量％以下含有することがより好ましく、ＮＢＫＰを３５質量％以上４５質量％以下、ＬＢＫＰを５５質量％以上６５質量％以下含有することが更に好ましい。
【００２３】
なお、上記のＬＢＫＰとしては、ユーカリ属グランディス及びユーカリグロビュラスに代表される、フトモモ科ユーカリ属の材種から形成されるパルプが好ましい。
【００２４】
なお、シャワートイレ用トイレットペーパー１に適正な強度を確保するために、通常の手段で原料配合し、パルプ繊維の叩解処理を行うことにより強度調整を行うことができる。目標の品質を得るための叩解としては、市販のバージンパルプに対して、ＪＩＳ  Ｐ  ８１２１で測定されるカナダ標準ろ水度で、叩解前後におけるろ水度の差を０ｍｌ以上２００ｍｌ以下、より好ましくは１０ｍｌ以上１５０ｍｌ以下、更に好ましくは２０ｍｌ以上１００ｍｌ以下に低減させる叩解処理を挙げることができる。
【００２５】
シャワートイレ用トイレットペーパー１は、紙料にバージン系原料を使用する場合は、一定範囲の繊維長及び繊維粗度を有する針葉樹クラフトパルプと広葉樹クラフトパルプを特定の範囲で配合して抄紙することができる。紙料への添加剤としては最終製品の要求品質に応じ、デボンダー柔軟剤を含めた柔軟剤、嵩高剤、染料、分散剤、乾燥紙力増強剤、濾水向上剤、ピッチコントロール剤、吸収性向上剤等を用いることができる。湿潤紙力増強剤は使用しないことが好ましい。シャワートイレ用トイレットペーパー１の紙料に古紙原料を使用する場合も、上記バージン系の場合と同様の処理を行う。
【００２６】
［坪量、紙厚］
シャワートイレ用トイレットペーパー１のシート１枚あたりの坪量は、１３ｇ／ｍ２以上１９ｇ／ｍ２以下であり、このときの紙厚は１．２ｍｍ／１０枚以上１．９ｍｍ／１０枚以下である。坪量及び紙厚を上記範囲に調整することにより、シャワートイレ用トイレットペーパー１の強度、吸水性、使用感（嵩高さ）が好適に維持される。また、ボリューム感があり、ごわごわ感の少ないシャワートイレ用トイレットペーパー１を得ることができる。シャワートイレ用トイレットペーパー１の１枚あたりの坪量及び紙厚を上記範囲に調整する方法としては、例えば、エンボス条件を規定する方法を挙げることができる。
【００２７】
シャワートイレ用トイレットペーパー１のシート１枚あたりの坪量は、１４ｇ／ｍ２以上１８ｇ／ｍ２以下であることが好ましく、１５ｇ／ｍ２以上１７ｇ／ｍ２以下であることがより好ましい。シャワートイレ用トイレットペーパー１の紙厚は、１．３ｍｍ／１０枚以上１．８ｍｍ／１０枚以下であることが好ましく、１．４ｍｍ／１０枚以上１．７ｍｍ／１０枚以下であることがより好ましい。
【００２８】
［エンボスパターン］
本発明のシャワートイレ用トイレットペーパー１は、エンボス加工が施されてなるものであり、エンボスパターンを有している。また、本発明におけるエンボスパターンは、シャワートイレ用トイレットペーパー１の各シートをそれぞれエンボス処理した後、図１に示すように、一方のシートの凸面と他方のシートの凹面がかみ合うように積層して２プライにする、いわゆるネステッド方式のダブルエンボスである。本発明のシャワートイレ用トイレットペーパー１において、後述するように、トイレットペーパーの同一部位の表面１ａ及び裏面１ｂのエンボスパターンの深さを測定し、測定値が大きい面のエンボスパターンの深さを深さＡ、測定値が小さい面のエンボスパターンの深さを深さＢとした場合において、深さＡ＞深さＢの条件を満たすため、図１のように、一方のシートの凸面と他方のシートの凹面との間に空気層を作り、シャワートイレ用トイレットペーパー１の吸水量を上げることができ、シャワートイレに適したトイレットペーパーを得ることができる。また、２プライ積層する際には、プライボンドグルー（糊）やナーリング（エッジエンボス）を用いることができるが、エンボスの潰れにくさの観点から、プライボンドグルーを用いる方が好ましい。また美粧性の観点から、顔料インキでプライボンドグルーを着色することが好ましい。
【００２９】
（エンボスパターンの深さ）
本発明のシャワートイレ用トイレットペーパー１において、トイレットペーパーの同一部位の表面１ａ及び裏面１ｂのエンボスパターンの深さを測定し、測定値が大きい面のエンボスパターンの深さを深さＡ、測定値が小さい面のエンボスパターンの深さを深さＢとした場合において、深さＡ＞深さＢを満たすことを条件に、深さＡが１３０μｍ以上４００μｍ以下、深さＢが６０μｍ以上２４０μｍ以下である。エンボスパターンの深さを上記範囲に調整することにより、エンボスパターンの凹凸の度合いが好適に維持されて、シャワートイレ用トイレットペーパー１の嵩が適度なものとなり、シートの柔らかさを好適に維持することができ、ざらざらとした感触の少ない肌触りが良好なシャワートイレ用トイレットペーパー１を得ることができる。なお、深さＡ＞深さＢを満たすことを条件に、深さＡが１６０μｍ以上３４０μｍ以下、深さＢが８０μｍ以上２００μｍ以下であることが好ましく、深さＡが１９０μｍ以上２７０μｍ以下、深さＢが１００μｍ以上１６０μｍ以下であることがより好ましい。
【００３０】
エンボスパターンの深さは、図７に示すようにエンボス加工を施す工程において、エンボスロール３と対向するゴムロール４のニップ幅を適宜調整して制御することができる。ニップ幅は、ロールの特性によっても異なるが、２０ｍｍ以上５０ｍｍ以下であることが好ましく、２５ｍｍ以上４５ｍｍ以下であることがより好ましく、３０ｍｍ以上４０ｍｍ以下であることが更に好ましい。ニップ幅を上記範囲に調整することにより、エンボスパターンの表裏差が適切に維持されるとともに、紙厚とシートの柔らかさが好適に維持される。ニップ幅は、カーボン紙を用いて測定することができる。測定方法としては、まず、エンボスロール３のニップを逃がし、カーボン紙と一般的なコピー用紙を重ねてセットする。次に、エンボスロール３にニップをかける。その後、ニップを逃がし、カーボン紙とコピー用紙を取り外す。エンボスロール３でニップがかかっていた部分のカーボン紙の色がコピー用紙に転写されるので、ニップ幅を測定することができる。なお、エンボスロール３の材質は、金属であることが好ましい。エンボスロール３の凹凸が深ければニップ幅を狭くし、エンボスロール３の凹凸が浅ければニップ幅を広くすることで、エンボスパターンの深さを調整できる。
【００３１】
エンボスパターンの深さは、マイクロスコープを用いてエンボスパターンの高低差を測定して求める。なお、上記したとおり、トイレットペーパーの同一部位の表面１ａ及び裏面１ｂのエンボスパターンの深さを測定し、測定値が大きい面のエンボスパターンの深さを深さＡ、測定値が小さい面のエンボスパターンの深さを深さＢとする。
【００３２】
マイクロスコープとしては、ＫＥＹＥＮＣＥ社製の製品名「ワンショット３Ｄ測定マクロスコープ  ＶＲ−３１００」を使用することができる。マイクロスコープの画像の観察・測定・画像解析ソフトウェアとしては、製品名「ＶＲ−Ｈ１Ａ」を使用することができる。また、測定条件は、倍率１２倍、視野面積２４ｍｍ×１８ｍｍの条件で測定する。なお、測定倍率と視野面積は、求めるエンボスパターンの大きさによって、適宜変更してもよい。
【００３３】
まず、図３に示すように、エンボスパターンの周縁ｆｒの最長部ａを求める。図４（ａ）は、マイクロスコープによるＸ−Ｙ平面上の高さプロファイルを示し、シャワートイレ用トイレットペーパー１表面の高さが濃淡で表されることがわかる。図４（ａ）の濃色部位が個々のエンボスパターンを示し、図４（ａ）から１つのエンボスパターンの最長部ａを見分けることができる。この最長部ａを横切る線分Ａ−Ｂを引くと、図４（ｂ）に示すようにエンボスパターンの高さ（測定断面曲線）プロファイルが得られる。ここで、Ｘ−Ｙ平面画像の色の濃淡で、エンボスパターンの凸部（非エンボス部）と凹部がわかるので、凸部と凹部が隣接している部分を横切るように線分Ａ−Ｂを決めればよい。
【００３４】
ここで、図４（ｂ）の高さプロファイルは、実際のシャワートイレ用トイレットペーパー１の試料表面の凹凸を表す（測定）断面曲線Ｔであるが、ノイズ（シャワートイレ用トイレットペーパー１の表面に繊維塊があったり、繊維がヒゲ状に伸びていたり、繊維のない部分に起因した急峻なピーク）をも含んでおり、凹凸の高低差の算出にあたっては、このようなノイズピークを除去する必要がある。そこで、図５に示すように、高さプロファイルの断面曲線Ｔから「輪郭曲線」Ｕを計算し、この輪郭曲線Ｕのうち、上に凸となる２つの変曲点Ｐ１，Ｐ２と、変曲点Ｐ１，Ｐ２で挟まれる最小値を求め、深さの最小値Ｍｉｎとする。さらに、変曲点Ｐ１，Ｐ２の深さの値の平均値を深さの最大値Ｍａｘとする。
【００３５】
このようにして、エンボスパターンの深さ＝最大値Ｍａｘ−最小値Ｍｉｎとし、変曲点Ｐ１，Ｐ２のＸ−Ｙ平面上の距離（長さ）を最長部ａの長さと規定する。なお、「輪郭曲線」は、断面曲線Ｔからλｃ：８００μｍ（ただし、λｃはＪＩＳ−Ｂ０６０１「３．１．１．２」に記載の「粗さ成分とうねり成分との境界を定義するフィルタ」）より短波長の表面粗さの成分を低域フィルタによって除去して得られる曲線である。なお、λｃを、隣接するエンボスパターン同士のＰ１の間隔（これを、エンボスピッチという）以上に設定すると、ピークをノイズと認識してしまう可能性があるので、λｃをエンボスピッチ未満とする。例えば、エンボスピッチが８００μｍ以下の場合、例えばλｃ：２５０μｍに設定する。隣接するエンボスパターン同士のＰ１の間隔は、図５の左又は右に繋がる次のエンボスパターンについて同様にＰ１，Ｐ２を求め、隣接するエンボスパターン同士でＰ１、Ｐ２、Ｐ１と並ぶときの２つのＰ１の間隔である。
【００３６】
同様にして、図４（ａ）において最長部ａに垂直な方向での最長部ｂについてもエンボスパターンの深さを測定し、最長部ａとｂの各エンボスパターンの深さのうち、大きい方の値をエンボスパターンの深さとして採用する。以上の測定を、シャワートイレ用トイレットペーパー１の表面１ａ及び裏面１ｂの任意の１０個のエンボスパターンについて行い、その平均値をシャワートイレ用トイレットペーパー１の表面１ａ及び裏面１ｂそれぞれのエンボスパターンの深さとして採用し、最終的には、測定値が大きい面のエンボスパターンの深さを深さＡ、測定値が小さい面のエンボスパターンの深さを深さＢとする。最長部ａと最長部ｂは、上記したシャワートイレ用トイレットペーパー１の１０個のエンボスパターンについての個々のａ、ｂの値を平均した値を用いる。
【００３７】
（エンボスの種類と面積）
本発明のシャワートイレ用トイレットペーパー１において、エンボスパターンが、図２に示すように、面積の異なるデコレーションエンボス２ａとマイクロエンボス２ｂの二種類のエンボスから構成され、デコレーションエンボス２ａの面積がマイクロエンボス２ｂの面積より大きく、トイレットペーパーの単位面積における、マイクロエンボス２ｂの総面積に対するデコレーションエンボス２ａの総面積比が、０．５以上１．９以下であることが好ましい。エンボスパターンは、図２に示すように、複数のマイクロエンボス２ｂで形成される形状を複数のデコレーションエンボス２ａで囲う構成となっており、複数のデコレーションエンボス２ａで囲う形状は、図２に示すように円形であってもよいし、楕円形、多角形、花柄、葉模様、星模様等、特に限定されるものではない。なお、複数のデコレ―ションエンボス２ａで囲う形状は、単種でもよく、複数種であってもよい。シャワートイレ用トイレットペーパー１の単位面積における、マイクロエンボスの総面積に対するデコレーションエンボスの総面積比を上記範囲に調整することにより、トイレットペーパーをトイレットロールに成形した際に紙にテンションがかかっても、適正なエンボス深さが維持され、同時に原紙間の空気層も維持される。その結果、シャワートイレ用トイレットペーパー１に必要な吸水量を維持することができる。また、トイレットペーパーの単位面積における、マイクロエンボスの総面積に対するデコレーションエンボスの総面積比は、０．７以上１．７以下であることがより好ましく、１．０以上１．４以下であることが更に好ましい。なお、各エンボス単体の形状は、円形、楕円形、長方形、正方形、花柄等、特に制限なく用いることができる。
【００３８】
デコレーションエンボスの１個当たりの面積は０．７ｍｍ２以上２．３ｍｍ２以下であり、トイレットペーパーの単位面積当たりのデコレーションエンボスの総面積率が４％以上１５％以下であることが好ましい。デコレーションエンボスの１個当たりの面積及び総面積率を上記範囲に調整することにより、デコレーションエンボスの総面積に対するデコレーションエンボスの総面積比が適正に保たれ、トイレットペーパーをトイレットロールに成形した際に紙にテンションがかかっても、適正なエンボス深さが維持され、同時に原紙間の空気層も維持される。その結果、シャワートイレ用トイレットペーパーに必要な吸水量を維持することができる。。また、デコレーションエンボスの１個当たりの面積は０．９ｍｍ２以上２．１ｍｍ２以下であることがより好ましく、１．１ｍｍ２以上１．９ｍｍ２以下であることが更に好ましい。トイレットペーパーの単位面積当たりのデコレーションエンボスの総面積率は５％以上１２％以下であることがより好ましく、６％以上９％以下であることが更に好ましい。
【００３９】
マイクロエンボスの１個当たりの面積は０．１０ｍｍ２以上０．５０ｍｍ２以下であり、トイレットペーパーの単位面積当たりのマイクロエンボスの総面積率が３％以上１２％以下であることが好ましい。マイクロエンボスの１個当たりの面積及び総面積率を上記範囲に調整することにより、マイクロエンボスの総面積に対するデコレーションエンボスの総面積比が適正に保たれ、トイレットペーパーをトイレットロールに成形した際に紙にテンションがかかっても、適正なエンボス深さが維持され、同時に原紙間の空気層も維持される。その結果、シャワートイレ用トイレットペーパーに必要な吸水量を維持することができる。また、マイクロエンボスの１個当たりの面積は０．１５ｍｍ２以上０．４５ｍｍ２以下であることがより好ましく、０．２０ｍｍ２以上０．４０ｍｍ２以下であることが更に好ましい。トイレットペーパーの単位面積当たりのマイクロエンボスの総面積率は４％以上１１％以下であることがより好ましく、５％以上１０％以下であることが更に好ましい。
【００４０】
トイレットペーパーの単位面積における、マイクロエンボスの総面積に対するデコレーションエンボスの総面積比、デコレーションエンボス及びマイクロエンボスの１個当たりの面積及びトイレットペーパーの単位面積当たりのマイクロエンボス及びデコレーションエンボスの総面積率は以下のように測定することができる。
【００４１】
各エンボスの１個当たりの面積及びトイレットペーパーの単位面積当たりの各エンボスの総面積率は、トイレットペーパーの表面１ａを像解析し、所定の閾値以下の暗い部分をエンボスの凹部とみなし、その面積を測定し、さらに総面積率を計算して得られる。具体的には、トイレットペーパーの表面１ａを市販のイメージスキャナ（例えば、セイコーエプソン社製ＧＴ−Ｘ７７０）で、図６に示すような画像データとして取り込み、所定の画像解析装置（例えば、日本製紙ユニテック株式会社製の「きょう雑物測定装置（Ｅａｓｙ
Ｓｃａｎ）」）により分解能８００ｄｐｉ、スキャン面積４ｃｍ×４ｃｍの条件で、所定の閾値以下の暗部の面積及び総面積率を求める。ここで、上記閾値を、黒を０ビット、白を２５５ビットとしたときの白側に近い９８％に設定して画像処理し、得られたそれぞれの暗部（陰部）を粒子（きょう雑物）とみなし、その粒径（円相当径）（μｍ）を計測する。その後、マイクロエンボス及びデコレーションエンボスを表す粒子について面積を測定した。なお、マイクロエンボスとデコレーションエンボスは、画像上の目視確認で区別をし、印刷部分と被らない各エンボス１００個の面積をそれぞれ測定し、その平均値をデコレーションエンボス及びマイクロエンボスの１個当たりの面積とした。さらに、各エンボスの面積を積算し、画像面積１ｍ２当たりの暗部（凹部）の総面積率に換算した（例えば、測定面積が０．００１６ｍ２、エンボスを表す粒子の積算面積が２００ｍｍ２の場合、総面積率（％）は２００ｍｍ２÷０．００１６ｍ２×１００=１２．５％となる）。
【００４２】
各エンボスの面積及び総面積率の測定は、トイレットペーパーのサンプルにシワやミシン目、折り目等が入らないようにしてスキャナ光が進む方向の一辺に、トイレットペーパー抄紙方向の一辺を沿わせて設置し、画像データを取り込む。
【００４３】
なお、トイレットペーパーのサンプルにミシン目や折り目が入っている等、４ｃｍ×４ｃｍのスキャン面積（０．００１６ｍ２）を確保できない場合は、一度で測定する測定面積を小さくしてもよいが、この場合は測定面積が最低０．００１６ｍ２となるように、測定箇所を増やす。例えば、２ｃｍ×４ｃｍ（０．０００８ｍ２）を２箇所測定すれば、測定面積は０．００１６ｍ２となる。
【００４４】
トイレットペーパーの単位面積における、マイクロエンボスの総面積に対するデコレーションエンボスの総面積比は、トイレットペーパーの単位面積当たりの、デコレーションエンボスの総面積率／マイクロエンボスの総面積率の式で算出することができる。
【００４５】
［空気層の厚さ］
本発明のシャワートイレ用トイレットペーパー１において、２プライのシート間の空気層の厚さが４０μｍ以上１９０μｍ以下である。ここで、上記のとおり、本発明におけるエンボスパターンは、シャワートイレ用トイレットペーパー１の各シートをそれぞれエンボス処理した後、図１に示すように、一方のシートの凸面と他方のシートの凹面がかみ合うように積層して２プライにする、いわゆるネステッド方式のダブルエンボスである。また、上記のとおり、トイレットペーパーの同一部位の表面１ａ及び裏面１ｂのエンボスパターンの深さを測定し、測定値が大きい面のエンボスパターンの深さを深さＡ、測定値が小さい面のエンボスパターンの深さを深さＢとした場合において、深さＡ＞深さＢの条件を満たすため、図１に示すように一方のシートの凸面と他方のシートの凹面との間に空気層を作ることができる。なお、本明細書においては、空気層の厚さを深さＡ−深さＢの式で算出される値とする。空気層の厚さを上記の範囲で調整することにより、シートの表面積が多くなり、吸水性を向上させることができ、ふっくらとした肌触りも向上することができる。さらに、２プライのシートを剥がれにくくすることもできる。２プライのシート間の空気層の厚さは、６０μｍ以上１６０μｍ以下であることが好ましく、８０μｍ以上１３０μｍ以下であることがより好ましい。
【００４６】
［吸水量］
本発明のシャワートイレ用トイレットペーパー１において、トイレットペーパー１ｇ当たりの吸水量が８ｍｌ以上１６ｍｌ以下であることが好ましい。吸水量を上記範囲に調整することにより、吸水性に優れるシャワートイレ用トイレットペーパー１を得ることができる。なお、上記の吸水量は、９ｍｌ以上１５ｍｌ以下であることがより好ましく、１０ｍｌ以上１４ｍｌ以下であることが更に好ましい。吸水量は、温度２３℃、湿度５０％の環境下で、１１．４ｃｍ×１１．４ｃｍのサイズに切ったシャワートイレ用トイレットペーパー１を蒸留水に１０秒浸漬させ、浸漬前のトイレットペーパーの重量及び浸漬後の吸水したトイレットペーパーの重量から、トイレットペーパー１ｇ当たりの吸水量を算出する。試験に用いる器具は特に限定はしないが、水分を吸収しないステンレス製の網に試験片を挟むことで、蒸留水への浸漬、浸漬後の試験片の取り出し、重量測定を容易に行うことができる。
【００４７】
［比容積］
シャワートイレ用トイレットペーパー１の比容積は７．５ｃｍ３／ｇ以上１２．０ｃｍ３／ｇ以下であることが好ましい。シャワートイレ用トイレットペーパー１の比容積が上記の範囲内のものであることにより、シートの柔らかさが良好なものとなり、バルク（嵩高さ）が好適に維持され、水分の吸収性が良好に維持される。上記比容積は、８．１ｃｍ３／ｇ以上１１．３ｃｍ３／ｇ以下であることがより好ましく、８．７ｃｍ３／ｇ以上１０．７ｃｍ３／ｇ以下であることが更に好ましい。なお、比容積は坪量と紙厚から算出される。
【００４８】
［ＤＭＤＴ、ＤＣＤＴ］
シャワートイレ用トイレットペーパー１（２プライに積層したシート）のＪＩＳ  Ｐ  ８１１３に基づく乾燥時の縦方向の引張強さをＤＭＤＴ（Ｄｒｙ  Ｍａｃｈｉｎｅ  Ｄｉｒｅｃｔｉｏｎ  Ｔｅｎｓｉｌｅ  ｓｔｒｅｎｇｔｈ）、乾燥時の横方向の引張強さをＤＣＤＴ（Ｄｒｙ  Ｃｒｏｓｓ  Ｄｉｒｅｃｔｉｏｎ  Ｔｅｎｓｉｌｅ  ｓｔｒｅｎｇｔｈ）としたとき、ＤＭＤＴが４００ｇｆ／２５ｍｍ以上１０００ｇｆ／２５ｍｍ以下であることが好ましく、５００ｇｆ／２５ｍｍ以上９００ｇｆ／２５ｍｍ以下であることがより好ましく、６００ｇｆ／２５ｍｍ以上８００ｇｆ／２５ｍｍ以下であることが更に好ましい。また、ＤＣＤＴは、９０ｇｆ／２５ｍｍ以上２３０ｇｆ／２５ｍｍ以下であることが好ましく、１１０ｇｆ／２５ｍｍ以上１９０ｇｆ／２５ｍｍ以下であることがより好ましく、１３０ｇｆ／２５ｍｍ以上１７０ｇｆ／２５ｍｍ以下であることが更に好ましい。ＤＭＤＴ及びＤＣＤＴが上記の範囲内のものであることにより、シートが破れにくくなるとともに、触った時の紙の丈夫さも良好となる。なお、引張強さの測定は、引張速度３００ｍｍ／ｍｉｎの条件で行う。また、引張強さは、公知の方法で調整することができる。
【００４９】
なお、上記においては、シャワートイレ用トイレットペーパー１の抄紙の流れ方向を「縦方向」とし、流れ方向に直角な方向を「横方向」とする。
【００５０】
［柔らかさＴＳ７、滑らかさＴＳ７５０、剛性Ｄ］
シャワートイレ用トイレットペーパー１のティッシュソフトネス測定装置ＴＳＡ（ｅｍｔｅｃ社製；Ｔｉｓｓｕｅ  Ｓｏｆｔｎｅｓｓ  Ａｎａｌｙｚｅｒ）上のソフトウェアにて自動的に取得した、６５００Ｈｚを含むスペクトルの極大ピークの強度（ＴＳ７）が１１ｄＢＶ２ｒｍｓ以上２５ｄＢＶ２ｒｍｓ以下であることが好ましく、１３ｄＢＶ２ｒｍｓ以上２３ｄＢＶ２ｒｍｓ以下であることがより好ましく、１５ｄＢＶ２ｒｍｓ以上２１ｄＢＶ２ｒｍｓ以下であることが更に好ましい。このＴＳ７は、シャワートイレ用トイレットペーパー１の柔らかさの指標であり、ＴＳ７が上記の範囲内のものとなることにより、シャワートイレ用トイレットペーパー１の柔らかさがバランスよく維持される。
【００５１】
さらに、シャワートイレ用トイレットペーパー１について、ＴＳＡ上のソフトウェアにて自動的に取得した、低周波数側からの最初のスペクトルの極大ピークの強度（ＴＳ７５０）が１６ｄＢＶ２ｒｍｓ以上４０ｄＢＶ２ｒｍｓ以下であることが好ましく、２０ｄＢＶ２ｒｍｓ以上３６ｄＢＶ２ｒｍｓ以下であることがより好ましく、２４ｄＢＶ２ｒｍｓ以上３２ｄＢＶ２ｒｍｓ以下であることが更に好ましい。このＴＳ７５０は、シャワートイレ用トイレットペーパー１の滑らかさの指標であり、ＴＳ７５０を上記範囲に調整することにより、シャワートイレ用トイレットペーパー１の平滑さがバランスよく維持される。
【００５２】
加えて、シャワートイレ用トイレットペーパー１について、ティッシュソフトネス測定装置ＴＳＡにより、試料台に設置したシャワートイレ用トイレットペーパー１のサンプルに対し、ブレード付きロータを回転させずに１００ｍＮと６００ｍＮの押し込み圧力でそれぞれ上から押し込んだとき、押し込み圧力１００ｍＮと６００ｍＮの間での上記サンプルの上下方向の変形変位量で表される、剛性Ｄの測定値が２．２ｍｍ／Ｎ以上３．４ｍｍ／Ｎ以下であることが好ましく、２．４ｍｍ／Ｎ以上３．２ｍｍ／Ｎ以下であることがより好ましく、２．６ｍｍ／Ｎ以上３．０ｍｍ／Ｎ以下であることが更に好ましい。剛性Ｄを上記範囲に調整することにより、シャワートイレ用トイレットペーパー１のクッション性がバランスよく維持される。
【００５３】
ティッシュソフトネス測定装置ＴＳＡを使用したＴＳ７、ＴＳ７５０及びＤの測定方法や、これに用いられる測定装置については、例えば、特開２０１３−２３６９０４号公報に詳細に記載されている。ティッシュソフトネス測定装置ＴＳＡを使用した各種測定方法については、上記の特許文献を参照されたい。
【００５４】
［吸水度］
シャワートイレ用トイレットペーパー１（２プライに積層したシート）の旧ＪＩＳ  Ｓ  ３１０４に基づく吸水度は、７．０秒以下であることが好ましく、５．０秒以下であることがより好ましく、３．０秒以下であることが更に好ましい。吸水度は、短時間であることが好ましく、上記時間の範囲内であることにより、吸水性が良好に維持される。なお、水を滴下する際は、シャワートイレ用トイレットペーパー１の表面１ａに滴下する。
【００５５】
［ほぐれやすさ］
シャワートイレ用トイレットペーパー１を１枚に剥がしたときのＪＩＳ  Ｐ  ４５０１に基づくほぐれやすさは、８．０秒以上６０．０秒以下であることが好ましく、８．０秒以上４５．０秒以下であることがより好ましく、８．０秒以上３０．０秒以下であることが更に好ましい。ほぐれやすさは、短時間であることが好ましく、上記時間の範囲内であることにより、トイレでの水解性が良好に維持され、良好になる。
【００５６】
［トイレットペーパーの製造方法］
シャワートイレ用トイレットペーパー１は、例えば（１）抄紙及びクレーピング、（２）エンボス処理（図７参照）、（３）積層（図７参照）の順で製造することができる。なお、積層の際には、シャワートイレ用トイレットペーパー１の表面、裏面側の各シートをそれぞれエンボス処理した後、一方のシートの凸面と他方のシートの凹面がかみ合うように積層して２プライにする。また、２プライ積層する際には、プライボンドグルー（糊）やナーリング（エッジエンボス）を用いることができる。
【００５７】
本発明は上記した実施形態に限定されず、本発明の思想と範囲に含まれる様々な変形及び均等物に及ぶことはいうまでもない。
【実施例】
【００５８】
ＮＢＫＰ及びＬＢＫＰの含有率が、表１から表３に記載の数値となるように配合し、（１）抄紙及びクレーピング、（２）エンボス処理（図７参照）、（３）積層（図７参照）の工程を経て、実施例１から実施例２５、比較例１から比較例１２のシャワートイレ用トイレットペーパーを製造した。
【００５９】
以下の評価を行った。
【００６０】
坪量：ＪＩＳ  Ｐ８１２４に基づいて測定し、シート１枚あたりに換算した。
【００６１】
紙厚：シックネスゲージ（株式会社尾崎製作所製のダイヤルシックネスゲージ「ＰＥＡＣＯＣＫ」）を用いて測定した。測定条件は、測定荷重３．７ｋＰａ、測定子直径３０ｍｍで、測定子と測定台の間に試料を置き、測定子を１秒間に１ｍｍ以下の速度で下ろしたときのゲージを読み取った。シートを２プライに積層したトイレットペーパーを５組重ねて、１０枚分として測定を行った。また、測定を１０回繰り返して測定結果を平均した。
【００６２】
乾燥時の縦方向引張強さＤＭＤＴと乾燥時の横方向引張強さＤＣＤＴ：ＪＩＳ  Ｐ  ８１１３に基づいて、２プライに積層したトイレットペーパーにつき、破断までの最大荷重をｇｆ／２５ｍｍの単位で測定した。引張強さの測定は、引張速度３００ｍｍ／ｍｉｎの条件で行った。
【００６３】
エンボスパターンの深さ、シート間の空気層の厚さ、マイクロエンボスの総面積に対するデコレーションエンボスの総面積比、各エンボスの面積及び総面積率、トイレットペーパー１ｇ当たりの吸水量、柔らかさＴＳ７、滑らかさＴＳ７５０、剛性Ｄは上述の方法で測定した。
【００６４】
官能評価は、モニター２０人によって行った。評価基準は５点満点で行った。評価基準が３点以上であれば良好である。
なお、上記の測定は、ＪＩＳ  Ｐ  ８１１１に規定する温湿度条件下（２３±１℃、５０±２％ＲＨ）で平衡状態に保持後に行った。
【００６５】
得られた結果を表１から表３に示す。
【００６６】
【表１】
2019024734.tif 000003
【００６７】
【表２】
2019024734.tif 000004
【００６８】
【表３】
2019024734.tif 000005
【００６９】
以上より、本発明のシャワートイレ用トイレットペーパーは、ごわごわ感及びざらざら感が少なく、２プライのシートが剥がれにくく、また、使用感、ボリューム感、ふっくら感、水分のふきとり感、紙の丈夫さ、柔らかさ、滑らかさ及びクッション性が良好であることが分かる。
【符号の説明】
【００７０】
１    シャワートイレ用トイレットペーパー
１ａ  表面
１ｂ  裏面
２ａ  デコレーションエンボス
２ｂ  マイクロエンボス
３    エンボスロール
４    ゴムロール
【図１】
2019024734.tif 000006
【図２】
2019024734.tif 000007
【図３】
2019024734.tif 000008
【図４】
2019024734.tif 000009
【図５】
2019024734.tif 000010
【図６】
2019024734.tif 000011
【図７】
2019024734.tif 000012